(57)【要約】送信信号（ＵＳ）を受信し、処理する受信装置（４、５）であって、表示装置（６、７）上に表現されることのできる表示情報（ＡＩ）の情報コンテンツ（II）を識別する情報データ（ＥＰＧ、ＶＯＤ）を有し、該表示装置（６、７）上に表現されるべき前記情報コンテンツ（II）の表現の性質を識別する表現記述データ（ＳＫ）を有する前記送信信号（ＵＳ）を受信する受信手段（I）と、この受信されたデータ（ＥＰＧ、ＳＫ、ＶＯＤ）を処理する処理手段（Ｖ）と、前記情報コンテンツ（II）を表示する前記表示装置（６、７）に表示信号（ＡＳ）を供給する供給手段（ＡＭ）とを有する受信装置（４、５）において、前記送信信号（ＵＳ）で伝送される前記情報データ（ＥＰＧ、ＶＯＤ）及び前記表現記述データ（ＳＫ）が、共通マークアップ言語で書かれているが、前記送信信号内（ＵＳ）で互いに独立に伝送されることができ、前記処理手段（Ｖ）は、この受信されたデータ（ＥＰＧ、ＳＫ、ＶＯＤ）の処理をするただ１つのパーサ（Ｐ）を有する。
2005531056.tif 000002
【特許請求の範囲】
【請求項１】
送信信号を受信し、処理する受信装置であって、
−  前記送信信号を受信する受信手段であって、前記送信信号は、表示装置上に表現されることのできる表示情報の情報コンテンツを識別する情報データを有し、前記送信信号は、前記表示装置上に表現されるべき前記情報コンテンツの表現の性質を識別する表現記述データを有する送信信号である受信手段、及びこの受信されたデータを処理する処理手段、並びに
−  前記情報コンテンツを表示する前記表示装置に表示信号を供給する供給手段、
を有する受信装置において、前記送信信号で伝送される前記情報データ及び前記表現記述データが、共通マークアップ言語で書かれるが、前記送信信号内で互いに独立に伝送されることができ、及び前記処理手段が、この受信したデータを処理するただ１つのパーサを有することを特徴とする、受信装置。
【請求項２】
前記情報データ及び前記表現記述データが、拡張可能マークアップ言語でコード化され、前記パーサがこのデータをデコードするように設計されていることを特徴とする、請求項１に記載の受信装置。
【請求項３】
前記受信手段が、ＨＴＴＰプロトコルによって伝送される前記送信信号を受信するように設計されていることを特徴とする、請求項１に記載の受信手段。
【請求項４】
前記受信手段が、１組の前記情報データに対して複数組の前記表現記述データを受信するように設計されていることを特徴とする、請求項１に記載の受信装置。
【請求項５】
前記受信手段が、１組の前記表現記述データに対して複数組の前記情報データを受信するように設計されていることを特徴とする、請求項１に記載の受信装置。
【請求項６】
前記表現記述データが、送信装置によって及び／又は前記受信装置の記憶手段によって、コンピュータネットワークを介して受信されることができることを特徴とする、請求項４又は５に記載の受信装置。
【請求項７】
前記情報データの前記情報コンテンツを識別する識別データが、前記受信手段によって受信されることができ、前記受信装置が、前記表示信号を発生するために、前記識別データによって、１組の前記情報データに関する１組の前記表現記述データを選択するように設計されていることを特徴とする、請求項４又は５に記載の受信装置。
【請求項８】
前記処理手段が、ＵＤＤＩプロトコルによって利用可能な前記情報データ及び前記表現記述データを決定するように設計されていることを特徴とする、請求項１に記載の受信装置。
【請求項９】
前記受信手段が、ＷＳＤＬコード化によってコード化されたサービス記述データを受信するように設計されていることを特徴とする、請求項１に記載の受信装置。
【請求項１０】
前記受信手段が、ＳＯＡＰプロトコルによって伝送された前記表現記述データを受信するように設計されていることを特徴とする、請求項１に記載の受信装置。
【請求項１１】
前記受信手段が、ＳＭＩＬコード化によってコード化された前記表現記述データを受信するように設計されていることを特徴とする、請求項１に記載の受信装置。
【請求項１２】
送信信号を送信する送信装置であって、表示装置上に表現されることができる表示情報の情報コンテンツを識別する情報データと、前記表示装置上に表現されるべき前記情報コンテンツの表現の性質を識別する表現記述データとを記憶する記憶手段を有する送信装置であって、
−  記憶された前記データを処理し、前記情報データ及び前記表現記述データを有する前記送信信号を供給する処理手段、及び
−  前記送信信号を供給する供給手段、
を有する送信装置において、前記送信信号で伝送される前記情報データ及び前記表現記述データは、共通マークアップ言語で書かれるが、前記送信信号内で互いに独立に伝送されることができることを特徴とする送信装置。
【請求項１３】
前記供給手段が、１組の前記表現記述データに対して複数組の前記情報データを供給するように設計されていることを特徴とする、請求項１２に記載の送信装置。
【請求項１４】
コンピュータネットワークに接続された少なくとも１つの送信装置からの送信信号を、前記コンピュータネットワークに接続された受信装置に伝送する伝送方法であって、
−  前記送信装置における、表示装置上に表現されることができる表示情報の情報コンテンツを識別する情報データと、前記表示装置上に表現されるべき前記情報コンテンツの表現の性質を識別する表現記述データとを有する送信信号の準備ステップ、
−  前記送信装置から前記コンピュータネットワークを介して前記受信装置までの前記送信信号の伝送ステップ、及び
−  表現されるべき前記表示情報の表示を可能にするために、前記受信装置において受信される前記送信信号の処理ステップ、
が実行される伝送方法において、前記送信信号で伝送される前記情報データ及び前記表示記述データが、共通マークアップ言語で供給されるが、前記送信信号内で互いに独立に送信されることができ、前記受信装置において受信された前記送信信号の処理が、ただ１つのパーサによって行われることを特徴とする、伝送方法。
【請求項１５】
前記情報データの前記情報コンテンツを識別する識別データが前記送信装置によって供給され、前記受信装置に伝送され、前記表示信号を発生するために、前記受信装置が前記識別データによって、１組の前記情報データに関する１組の前記表現記述データを選択することを特徴とする、請求項１４に記載の伝送方法。
【発明の詳細な説明】
【技術分野】
【０００１】
本発明は、送信信号を受信し処理する受信装置に関し、当該受信装置は、該送信信号を受信する受信手段を備え、該送信信号は、表示装置上に表現されることができる表示情報の情報コンテンツを識別する情報データを有し、該送信信号は、該表示装置上に表現されるべき情報コンテンツの表現の性質を識別する表現記述データを有し、当該受信装置は、この受信されたデータを処理する処理手段と、前記情報コンテンツを表示する表示装置に表示信号を供給する供給手段とを有する。
【０００２】
本発明は、更に、送信信号を送信する送信装置に関し、該送信装置は、表示装置上に表現されることができる表示情報の情報コンテンツを識別する情報データと、該表示装置上に表現されるべき情報コンテンツの表現の性質を識別する表現記述データとを記憶する記憶手段、記憶された前記データを処理し、この情報データ及び表現記述データを有する送信信号を供給する処理手段、及び前記送信信号を供給する供給手段を有する。
【０００３】
本発明は、更に、コンピュータネットワークに接続されている少なくとも１つの送信装置から、該コンピュータネットワークに接続されている受信装置に、送信信号を伝送する伝送方法に関し、ここで、
−  前記送信装置における、表示装置上に表現されることができる表示情報の情報コンテンツを識別する情報データと、該表示装置上に表現されるべき情報コンテンツの表現の性質を識別する表現記述データとを有する送信信号の準備ステップ、
−  前記送信装置から前記コンピュータネットワークを介する前記受信装置までの送信信号の伝送ステップ、及び
−  前記表示情報が表現されることを可能にするために前記受信装置において受信される送信信号の処理ステップ、
が実行される。
【背景技術】
【０００４】
この種の受信装置、この種の送信装置、及びこの種の伝送方法は、欧州特許第ＥＰ１０７７４０５Ａ２号明細書から知られている。この明細書は、送信装置としてサーバを記載しており、これは、コンピュータネットワークを介して、受信装置であるクライアントコンピュータに接続されており、可適応ユーザインターフェースを介して該クライアントコンピュータの使用を可能にする。この可適応ユーザインターフェースは、「ウィザード」プログラムとして実行され、前記コンピュータネットワーク内の任意のコンピュータ上で、該コンピュータネットワーク内の任意の（他の）クライアントコンピュータを使用するために、実行されることができる。前記ウィザードプログラムは、コンピュータのユーザのニーズに適応化されることができ、前記ユーザインターフェースは、例えば、制御されるクライアントコンピュータの特定コンポーネントを動作させるように最適化されることができる。
【発明の開示】
【発明が解決しようとする課題】
【０００５】
しかしながら、ウィザードプログラムを作成し、チェックし、実現し、利用可能にすることに加えて、この最適化は、そのコンピュータから他のクライアントコンピュータが使用されるべきであるクライアントコンピュータ上での、このウィザードプログラムのインストールを要する。
【０００６】
ここで、新しいウィザードプログラムのインストールの間、クライアントコンピュータは他のコンピュータを制御するのに使用されることができないこと、及び最適化されたウィザードプログラムを全てのクライアントコンピュータに対して利用可能にすることは、ロジスティック的な時間のかかる手順になることが、不利であると証明されている。
【０００７】
本発明の目的は、最初の段落で述べた汎用型による受信装置、２番目の段落で述べた汎用型による送信装置、及び３番目の段落で述べた汎用型による伝送方法を提供することにあり、これらの全てにおいて、上述の不利性は回避される。
【課題を解決するための手段】
【０００８】
この種の受信装置において、上述の目的を達成するために、送信信号で伝送される情報データ及び表現記述データは、共通マークアップ言語で書かれるが、前記送信信号内で互いに独立に伝送されることができ、前記処理手段は、この受信したデータを処理するただ１つのパーサを備えている。
【０００９】
この種の送信装置において、上述の目的を達成するために、送信信号で伝送される情報データ及び表現記述データは、共通マークアップ言語で書かれるが、前記送信信号内で互いに独立に伝送されることができる。
【００１０】
この種の伝送方法において、上述の目的を達成するために、送信信号で伝送される情報データ及び表現記述データは、共通マークアップ言語で供給されるが、前記送信信号内で互いに独立に伝送されることができ、前記受信装置において受信される前記送信信号の処理は、ただ１つのパーサによって行われる。
【００１１】
本発明によるフィーチャの長所によって、送信信号で伝送されることができる情報データと、送信信号で伝送されることができる前記表現記述データとの両方が、共通の、一般に頻繁に遭遇するコンピュータ言語、即ちマークアップ言語によって書かれ、従って、前記受信装置内のただ１つのパーサによって評価されることができることが達成される。このことは、前記送信信号において他のコンピュータ言語で伝送されるべきいかなるデータも発生するコード化手段を、送信装置内において省けるという利点を生じる。これにより、前記送信信号において異なるコンピュータ言語で伝送されるべきこの種のデータ用の他のパーサを、受信装置内において省けるという利点が更に得られる。
【００１２】
更に、ユーザインターフェースの変更が、送信信号において受信される新しい表現記述データによって背景で行われることができ、結果としてユーザが受信装置の使用において妨害されることがないという利点が得られる。例えば、前記受信装置が、民生用電子機器（例えば、ＤＶＤ−ＲＷ又はＤＶＤ＋ＲＷ）によって形成されており、該民生用電子機器によって、テレビジョン番組情報（例えば、電子番組ガイド）を有する情報データが呼び出され、表示装置（例えば、テレビジョン装置）によって見ることができる場合、前記テレビジョン番組情報が示されるフレーム及びウィンドウの表現の性質が、示される前記テレビジョン番組情報に対応するフィルムの性質に依存して、時間遅延なしに修正されることができる。
【００１３】
添付請求項２に規定されている手段によれば、拡張可能マークアップ言語が、情報データ及び表現記述データの伝送に特に適切であるという利点が得られる。更に、拡張可能マークアップ言語によって書かれたソフトウェアルーチンを開発する開発時間は、比較的短いので、短い「タイム・トゥ・マーケット」が達成されるという利点が得られる。
【００１４】
添付請求項３に規定されている手段によれば、前記受信装置は、この伝送プロトコル（インターネット上で一般的に遭遇する伝送プロトコル）を受信するように設計され、従って、様々な既存のサーバと通信することができるという利点が得られる。
【００１５】
添付請求項４及び５に規定されている手段によれば、表示される情報コンテンツの変更、及び該情報コンテンツの表現の性質の変更に関して最大限の汎用性が保証されるという利点が得られる。
【００１６】
添付請求項５に規定されている手段によれば、前記受信装置の製造者と、第三者的供給者との両方が、所定の、拡張可能表現様式を供給することができるという利点が得られる。更に、ローカル記憶（即ち、サーバ表現記述データの、前記装置のローカルメモリ内へのミラーリング）は、前記表現の性質の遅延のない交換の利点を有する。
【００１７】
添付請求項７に規定されている手段によれば、例えば、サイエンス・フィクション・フィルムに関する情報コンテンツの表現用のフォント及び背景は、メロドラマ用のこれらとは、自動的に異なるという利点が得られる。
【００１８】
添付請求項８及び９に規定されている手段によれば、特に、第三者的部品製造者による、情報及び表現多様性に関する提供の拡張が、明快に、完全に自動的に起こることができるという利点が得られる。
【００１９】
添付請求項８ないし１１に規定されている手段によれば、特に有利であるコード化タイプ及びプロトコルが、前記情報データ及び表現記述データの伝送に使用されるという利点が得られる。
【発明を実施するための最良の形態】
【００２０】
本発明は、添付図面に示されている実施例の例を参照することによって更に記載される、しかしながら、本発明は、これらに限定されるものではない。
【００２１】
図１は、送信装置を形成しているデバイスサーバ１、ＥＰＧサーバ２及びＶＯＤサーバ３を示しており、これらは、インターネットＮＥＴを介して、受信装置を形成しているＤＶＤレコーダ４及びセットトップボックス５に接続されている。情報コンテンツIIを表示するために、表示信号ＡＳは、ＤＶＤレコーダ４から第１テレビジョン装置６に供給されることができ、表示信号ＡＳは、セットトップボックス５から第２テレビジョン装置７に供給されることができる。デバイスサーバ１は、ＤＶＤレコーダ４及びセットトップボックス５の製造者によって操作され、これら装置４及び５向けのサービスを供給する。
【００２２】
デバイスサーバ１は、サービス検索データＵＤＤＩ、サービス記述データＷＳＤＬ及びスキンデータＳＫを記憶する記憶手段を有し、ここでスキンデータＳＫは、表現記述データを形成して第１テレビジョン装置６及び第２テレビジョン装置７上の情報コンテンツIIの表現の性質を記述するものである。デバイスサーバ１内に記憶された情報検索データＵＤＤＩは、前記製造者の装置が、表現記述データ及び情報データを記憶するサーバのインターネットアドレスを問い合わせることを可能にする。デバイスサーバ１内に記憶されたサービス記述データＷＳＤＬは、前記製造者の装置が、どの表現記述データ及び情報データがどのタイプの装置によって処理されることができるのかに関して問い合わせることを可能にする。
【００２３】
ＥＰＧサーバ２は、テレビジョン番組情報ＥＰＧを記憶する記憶手段を備えており、該テレビジョン番組情報ＥＰＧは、情報データを形成する。テレビジョン番組情報ＥＰＧは、これによって、数日中にテレビジョンチャネルから受信され得るテレビジョン番組に関する情報を有する。これらのテレビジョン番組のそれぞれに関するタイトル、期間、テレビジョンチャネル、及びコンテンツ情報の少なくとも１項目が、テレビジョン番組情報ＥＰＧ内に含まれている。この種のＥＰＧサーバは、かなりの間、知られている。
【００２４】
ＶＯＤサーバ３は、「ビデオ・オン・デマンド」サーバを形成し、これは、記憶手段内で、セットトップボックス５のユーザによる支払いと引き換えに、第２テレビジョン装置７上の表示用に、呼び出されることができる多数のテレビジョンフィルムを記憶する。同様にＶＯＤサーバ３の記憶手段内に記憶されるのは、テレビジョン番組情報ＶＯＤであって、これも、同様に情報データを形成し、該情報データは、ＶＯＤサーバ３から呼び出されることができるテレビジョンフィルムに関する情報を有する。図２及び図３は、この種のテレビジョン番組情報ＶＯＤを示しており、これは、呼び出されることができるテレビジョンフィルムタイトル「Ｂｌｏｗ」で、第２テレビジョン装置７上に表示されることができる。同様に、ＶＯＤサーバ３の記憶手段に記憶されるのは、スキンデータＳＫであって、図２及び３に示されているように、テレビジョンフィルムに関するテレビジョン番組情報ＶＯＤを表現する異なる方式を可能にする。
【００２５】
図１は、本発明に関して重要であって、重要な特性が一致するＤＶＤレコーダ４及びセットトップボックス５のエレメントのみを示しており、この理由によって、これらが一緒に記載されている。装置４及び５の両方が、インターフェース手段Ｉを有し、これらはモデムによって形成され、サーバ１、２及び３と、周知のＨＴＴＰプロトコル（Ｈｙｐｅｒ  Ｔｅｘｔ  Ｔｒａｎｓｆｅｒ  Ｐｒｏｔｏｃｏｌ）によって通信するように設計されている。これは、装置４及び５が、インターネット上に情報データ及び表現記述データを供給するほぼ全てのサーバと通信することができるという利点を生じる。これにより、インターフェース手段Ｉは、送信信号ＵＳを受信する受信手段を形成し、該送信信号ＵＳは、第１テレビジョン装置６又は第２テレビジョン装置７上に表現されることができる表示情報ＡＩの情報コンテンツを識別する情報データＥＰＧ及びＶＤＯを有し、スキンデータＳＫを有する。スキンデータＳＫは、表現記述データを形成し、第１テレビジョン装置６又は第２テレビジョン装置７上に表現されるべき情報コンテンツIIの性質を記述する。
【００２６】
装置４及び５は、送信信号ＵＳで受信された情報データＥＰＧ及びＶＯＤと、スキンデータとを処理する処理手段Ｖを更に有する。処理手段Ｖは、１つだけのパーサＰを有し、これは、受信された情報データＥＰＧ及びＶＯＤと、受信されたスキンデータＳＫとの両方を処理するように設計されている。パーサＰによって、当業者は、構文の正しさに関して入力データをチェックし、これを意味論的構成要素に分解するプログラムを理解する。
【００２７】
送信信号ＵＳ内に含まれている情報データＥＰＧ及びＶＯＤとスキンデータＳＫとは、有利には、共通マークアップ言語、とりわけ、特に、拡張可能マークアップ言語で書かれる。これは、情報データＥＰＧ及びＶＯＤと、スキンデータＳＫとをデコードするために、ただ１つのパーサＰが、装置４及び５内に設けられる必要があるという利点を生じる。従って、情報データＥＰＧ及びＶＯＤとスキンデータＳＫとを、異なるコード化タイプでコード化するコード化手段は、サーバ１、２及び３内に有利に省けるので、結果として、コスト削減となる。
【００２８】
処理手段Ｖ内に設けられるマイクロコンピュータＭは、アプリケーション（ソフトウェアモジュール）を実行して、装置４及び５の前記フィーチャを可能にし、同様に検索アプリケーションＳ及び表示情報供給アプリケーションＡＢを実行する、これらは以下の実施例を参照して、非常に詳しく記述されるであろう。
【００２９】
処理手段Ｖの供給手段ＡＭは、表示情報ＡＩを受け取って、表示信号ＡＳを供給するように設計されており、該表示信号ＡＳは、第１テレビジョン装置６によって、及び第２テレビジョン装置７によって処理されることができる。キーパッドＴは、ユーザによる制御情報を入力して、装置４及び５を制御するために設けられている。
【００３０】
セットトップボックス５の使用の実施例の例によれば、ユーザは、セットトップボックス５を購入しており、これを初めてインターネットＮＥＴに接続するものとする。ここで、セットトップボックス５は、セットトップボックス５内に記憶されているインターネットアドレスを有するデバイスサーバ１に自動的に接続し、デバイスサーバの記憶手段内に記憶されているサービス検索データＵＤＤＩ及びサービス記述データＷＳＤＬを問い合わせる。デバイスサーバ１は、拡張可能マークアップ言語によってこのデータＵＤＤＩ及びＷＳＤＬを供給するように設計されており、該データＵＤＤＩ及びＷＳＤＬは、セットトップボックス５のインターフェース手段Ｉによって送信信号ＵＳで受信される。
【００３１】
パーサＰは、サービス検索データＵＤＤＩをデコードし、サービス検索データＵＤＤＩをＵＤＤＩオブジェクトＵとして、マイクロコンピュータＭの前記記憶手段内に記憶するように設計されている。ここで、ＵＤＤＩオブジェクトＵは、特に、ＥＰＧサーバ２及びＶＯＤサーバ３のインターネットアドレスを有する。パーサＰは、更に、サービス記述データＷＳＤＬをデコードし、サービス記述データＷＳＤＬを、ＷＳＤＬオブジェクトＷとして、マイクロコンピュータＭの前記記憶手段内に記憶するように設計されている。ここで、ＷＳＤＬオブジェクトＷは、ＥＰＧサーバ２が、翌週以内にテレビジョンチャネルから受信され得るテレビジョンフィルムに関するテレビジョン番組情報ＥＰＧを含み、ＶＯＤサーバ３が、ＶＯＤサーバ３内に記憶されているテレビジョンフィルムに関するテレビジョン番組情報ＶＯＤを含む情報を、特に有する。
【００３２】
本実施例の例によって、更に、セットトップボックス５のユーザ５が、（第２テレビジョン装置７上に表示される）「ビデオ・オン・デマンド」サーバから呼び出されることができるテレビジョンフィルムに関するテレビジョン番組情報ＶＯＤを得るために、キーパッドＴを使用して制御情報を入力するとする。ここで、検索アプリケーションＳは、これらの「ビデオ・オン・デマンド」サーバに関してＵＤＤＩオブジェクトＵ及びＷＳＤＬオブジェクトＷを検索し、ＶＯＤサーバ３のインターネットアドレスを、表示情報供給アプリケーションＡＢに供給する。ここで、表示情報供給アプリケーションＡＢは、インターフェース手段Ｉによって、ＶＯＤサーバ３内に記憶されているテレビジョン番組情報ＶＯＤ及びスキンデータＳＫを呼び出す。
【００３３】
パーサＰは、拡張可能マークアップ言語によってコード化されているテレビジョン番組情報ＶＯＤをデコードし、テレビジョン番組情報ＶＯＤを、ＶＯＤオブジェクトＶとして、マイクロコンピュータＭの前記記憶手段内に記憶する。パーサＰは、同様に拡張可能マークアップ言語によってコード化されているスキンデータＳＫを更にデコードし、スキンデータＳＫを、ＳＫオブジェクトＫとして、マイクロコンピュータＭの記憶手段内に記憶する。表示情報供給アプリケーションＡＢは、次いで、ＶＯＤオブジェクトＶ内に記憶されているテレビジョンフィルムに関するテレビジョン番組情報ＶＯＤを読み出し、ＳＫオブジェクトＫから、このテレビジョン番組情報ＶＯＤの表現の関連する性質を決定する。
【００３４】
図２に示すように、前記テレビジョンフィルムの画像が右側部に表現され、該テレビジョンフィルムのコンテンツの情報が左側上部に表現され、該テレビジョンフィルムの配役が左側下部に表現されるであろうことが、スキンデータＳＫによって規定されているとする。表示情報供給アプリケーションＡＢは、対応する表示情報ＡＩを供給手段ＡＭに供給し、これは対応する表示信号ＡＳを第２テレビジョン装置７に供給する。
【００３５】
このことは、ＶＯＤサーバ３のオペレータが、前記テレビジョン番組情報ＶＯＤに割り当てられたスキンデータＳＫによって、前記テレビジョン番組情報ＶＯＤが、ユーザに示される方式を規定しているという利点を生じる。テレビジョン番組情報ＶＯＤとスキンデータＳＫとの両方が、拡張可能マークアップ言語によって書かれているという事実によれば、セットトップボックス５は、１つのパーサＰのみを備えている必要がある。
【００３６】
ＶＯＤサーバ３は、更に、送信識別データＫＤを送信するように設計されており、これは、テレビジョン番組情報ＶＯＤの情報コンテンツを識別するのものである。ここでＶＯＤサーバ３は、例えば、「サイエンス・フィクション」のカテゴリに属するテレビジョンフィルムに関して、「ウエスタン」カテゴリに属するテレビジョンフィルムに関するものとは異なる識別データＫＤを送信する。更に、ＶＯＤサーバ３は、カテゴリごとに１組のスキンデータＳＫを送信する。表示情報供給アプリケーションＡＢは、この識別データＫＤを評価し、該識別データＫＤによって、このテレビジョンフィルムに割り当てられた表現のタイプで、このテレビジョンフィルムに関するテレビジョン番組情報ＶＯＤを供給するように設計されている。
【００３７】
この結果、「ウエスタン」カテゴリのテレビジョンフィルムの場合、例えば、前記コンテンツ情報の特徴に関する背景及びフォントが、ウエスタンスタイルに整合する方式で出現することが有利に達成される。これにより、テレビジョン番組情報ＶＯＤは、各カテゴリに関して異なってユーザに表現され、この結果、ユーザは既に前記テレビジョンフィルムに慣れ、自分がこのカテゴリからのテレビジョンフィルムに興味を持つかどうかが、一目でわかる。
【００３８】
ユーザは、ＶＯＤオブジェクトに含まれているテレビジョン番組情報ＶＯＤを通してスクロールし、自分が興味を持つテレビジョンフィルムを選択することができる。キーパッドＴによって確認情報を入力することによって、前記ユーザは、テレビジョンフィルムを選択肢、対応する情報がＶＯＤサーバ３に送信される。ＶＯＤサーバ３は、次いで、選択されたテレビジョンフィルムを再生し始め、セットトップボックス５のユーザのアカウントから料金を差し引く。
【００３９】
ＤＶＤレコーダ４の使用の一実施例によれば、上述したインターネットＮＥＴとの最初の接続の後に、ＤＶＤレコーダ４は、デバイスサーバ１のサービス検索データＵＤＤＩ及びサービス記述データＷＳＤＬを評価することによって、ＥＰＧサーバ２を、ＤＶＤレコーダ２によって記録されることができるテレビジョンフィルムに関するテレビジョン番組情報ＥＰＧとして識別しているとされる。
【００４０】
ここでＤＶＤレコーダ４は、スキンデータＳＫを、ユーザの希望によってＤＶＤレコーダ４内で適応化する機会を更に提供し、これをコンピュータＭの記憶手段内に記憶する。図３に示されているように、ユーザは、テレビジョン番組の予告編が、第１テレビジョン装置６上に示されるテレビジョン番組情報ＥＰＧの左側下部に示されることを規定している。ユーザが、ここで、ＥＰＧサーバ２から呼び出されているテレビジョンフィルムに関するテレビジョン番組情報ＥＰＧを通してスクロールする場合、該ユーザは、自分が手動で適応化したスキンデータＳＫによって、コンテンツ情報ではなく、特定のテレビジョンフィルムの短い予告編を見るであろう。
【００４１】
ＳＫオブジェクトＫとして、拡張可能マークアップ言語により、ユーザによって適応化された、スキンデータＳＫの記憶は、スキンデータＳＫが、前記記憶手段からローカルに呼び出されても、又はインターネットＮＥＴを介してサーバから呼び出されても、相違を生じないという利点を生じる。従って、１組の情報データに対して、複数組の表現記述データが、インターネットを介して又はローカルに受信されることもでき、ユーザは、自分に最適な組を選択することができる。
【００４２】
前記実施例の例によれば、更に、装置４及び５の製造者は、スキンデータＳＫを、適切な装置４又は５用に利用可能にするものとする。テレビジョン番組情報ＥＰＧは、ここで、ＤＶＤレコーダ４によってＥＰＧサーバ２から呼び出され、スキンデータＳＫがデバイスサーバ１から呼び出され、従って、これらは、送信信号ＵＳ内でＤＶＤレコーダ４によって互いに独立に受信されることができる。この結果、装置４及び５の製造者は、該装置が販売された後であってさえも、前記情報データの表現の性質を動的に変更することができ、これは非常に有利である。
【００４３】
情報データは、いかなる情報コンテンツも有することができ、例えば、料理レシピ、電話帳情報、又はデパートメントストアのカタログ情報によって形成されることができると述べることができる。表現記述データは、各情報コンテンツのタイプに対して異なることもでき、又は複数の情報コンテンツのタイプに関連することもできる。
【００４４】
本発明による受信装置は、民生用電子機器及び民生用通信の分野における様々な装置において設けられ得ると述べることができる。
【００４５】
ＧＳＭＬ及びこれより得られるマークアップ言語のような、他のマークアップ言語も知られていること、及び本発明による受信装置は、これらの言語によって書かれた情報データ及び表現記述データを受信するように設計することができることを述べることができる。
【００４６】
本発明による送信装置は、衛星又は地上無線リンクを介して送信するテレビジョン放送局において設けられることもできると述べることができる。
【００４７】
コンテンツデータ及び表現記述データは、動的エレメントを含むことができ、これらの経時変化及び相互依存は、例えば、ＳＭＩＬによって書かれることができると述べることができる。
【００４８】
ＸＭＬドキュメントへのオブジェクトの変換、及びこれらＸＭＬドキュメントのオブジェクトに戻す変換は、ＳＯＡＰ規格によって行われることを述べることができる。
【図面の簡単な説明】
【００４９】
【図１】図１は、インターネットに接続されている３つのサーバを示しており、これらは、送信信号を、インターネットに接続されているＤＶＤレコーダと、インターネットに接続されているセットトップボックスに供給するように設計されている。
【図２】図２は、テレビジョン装置上に表示されるテレビジョン番組情報を示しており、ここで、該テレビジョン番組情報の表現の性質は、表現記述データによって規定されている。
【図３】図３は、テレビジョン装置上に表示されるテレビジョン番組情報を示しており、ここで、該テレビジョン番組情報の表現の性質は、他の表現記述データによって規定されている。
【図１】
2005531056.tif 000003
【図２】
2005531056.tif 000004
【図３】
2005531056.tif 000005
【国際調査報告】
2005531056.tif 000006
2005531056.tif 000007
2005531056.tif 000008